(57)【特許請求の範囲】
【請求項１】
フレームと、
前記フレーム内に配置され第１光ファイバを有する接続部品と、
前記フレームに接続されており、前記第１光ファイバの端面に対して接続するための第２光ファイバの把持をする把持部品を収納する収納室を有する把持部品収納部と、
前記把持部品を前記把持部品収納部の前記収納室内に収納する際に前記把持部品を案内するために着脱可能に係合して取り付けられている補助ユニットと、を有し、
前記把持部品収納部を閉鎖する際に、前記補助ユニットの前記係合状態を解除する係合解除部と、
を備えることを特徴とする光コネクタ。
【請求項２】
前記係合解除部は、前記把持部品収納部の前記収納室を開閉可能に閉鎖する蓋であり、前記係合解除部は、前記把持部品収納部に対して着脱可能に係合して取り付けられており、
前記係合解除部が前記収納室を閉鎖することで前記補助ユニットの前記係合している部分を押圧して前記係合状態を解除することを特徴とする請求項１に記載の光コネクタ。
【請求項３】
前記補助ユニットの前記係合している部分は、
前記把持部品収納部に対して着脱可能に係合する第１ラッチ部と第２ラッチ部と、を有しており、
前記係合解除部は、
前記把持部品収納部の前記収納室を閉鎖すると前記第１ラッチ部を押圧して前記第１ラッチ部と前記把持部品収納部との係合状態を解除する第１係合部と、
前記把持部品収納部の前記収納室を閉鎖すると前記第２ラッチ部を押圧して前記第２ラッチ部と前記把持部品収納部との係合状態を解除する第２係合部と、を有していることを特徴とする請求項２に記載の光コネクタ。
【請求項４】
前記第１ラッチ部は、前記第１係合部を案内して前記第１ラッチ部を押し広げるためのテーパ状の第１案内面を有し、
前記第２ラッチ部は、前記第２係合部を案内して前記第２ラッチ部を押し広げるためのテーパ状の第２案内面を有していることを特徴とする請求項３に記載の光コネクタ。
【請求項５】
前記補助ユニットは、前記係合解除部の外側に着脱可能に係合されており、前記把持部品収納部は、前記フレームに対して回転可能に保持され、
前記把持部品収納部を回転して前記把持部品収納部を前記係合解除部の内側に位置させることで、前記補助ユニットの前記係合している部分を押圧して、前記補助ユニットと前記係合解除部との間の前記係合状態を解除することを特徴とする請求項１に記載の光コネクタ。
【請求項６】
前記把持部品収納部は、前記把持部品を前記収納室内に収納する収納状態から、９０度回転して前記係合解除部内に配置することを特徴とする請求項５に記載の光コネクタ。
【発明の詳細な説明】
【技術分野】
【０００１】
本発明は、光ファイバ接続用の光コネクタに関し、特に光ファイバを別の光ファイバに対してメカニカル接続するための光コネクタに関する。
【背景技術】
【０００２】
通信の多様化と大容量化に伴って、ＦＴＴＨ（Ｆｉｂｅｒ  Ｔｏ  Ｔｈｅ  Ｈｏｍｅ）に代表される光ファイバを使用した通信が急激に普及している。光ファイバによる通信の普及に伴って、作業員が、光ファイバの心線同士を、光コネクタを用いて現場で接続する工事を行う際には、この光コネクタによる光ファイバの心線同士の接続作業が容易にかつ確実に行えることが望ましい。
【０００３】
そこで、光ファイバの心線同士を接続する現場において、光コネクタが無電源で無研磨によって組み立てられることで光ファイバの心線同士を機械的に接続するメカニカル接続型の光コネクタが用いられるようになってきている。
【０００４】
光ファイバの心線同士を接続するために、新たに光コネクタに対して挿入して接続しようとする光ファイバの心線の端面と、あらかじめ光コネクタに内蔵された内蔵光ファイバの心線の端面とが、互いに接触することで、両光ファイバは光学的に接続される（例えば、特許文献１参照）。
【特許文献１】特開平１０−２０６６８８号公報
【発明の開示】
【発明が解決しようとする課題】
【０００５】
ところで、接続しようとする光ファイバの心線の端面と内蔵光ファイバの心線の端面とを接触して接続する際には、補助ユニットが使用される。この接続しようとする光ファイバには、光コネクタの収納室内に配置するための把持部品が固定されている。
この補助ユニットは、接続しようとする光ファイバの心線を内蔵光ファイバの心線の端面に対して接続する際に、作業者が把持部品を光コネクタの収納室内に対してスライドして確実に収納できるようにするために把持部品を収容室に案内するようになっている。
【０００６】
しかし、この種の補助ユニットは、光ファイバの心線同士が接続して収納室内に把持部品を収納できた後では、短時間で簡単に確実に取り外すことができるようにすることが望ましく、これにより光ファイバ接続作業を容易にして作業時間が短縮できるようにしたい。
そこで、本発明は上記課題を解消するために、収納室内に把持部品を収納できた後では、補助ユニットを簡単に確実に取り外すことができるようにして、光ファイバ接続作業を容易にして作業時間の短縮ができる光コネクタを提供することを目的とする。
【課題を解決するための手段】
【０００７】
上記課題を解消するために、本発明の光コネクタは、
フレームと、
前記フレーム内に配置され第１光ファイバを有する接続部品と、
前記フレームに接続されており、前記第１光ファイバの端面に対して接続するための第２光ファイバの把持をする把持部品を収納する収納室を有する把持部品収納部と、
前記把持部品を前記把持部品収納部の前記収納室内に収納する際に前記把持部品を案内するために着脱可能に係合して取り付けられている補助ユニットと、を有し、
前記把持部品収納部を閉鎖する際に、前記補助ユニットの前記係合状態を解除する係合解除部と、
を備えることを特徴とする。
【０００８】
本発明の光コネクタ
では、好ましくは前記係合解除部は、前記把持部品収納部の前記収納室を開閉可能に閉鎖する蓋であり、前記係合解除部は、前記把持部品収納部に対して着脱可能に係合して取り付けられており、
前記係合解除部が前記収納室を閉鎖することで前記補助ユニットの前記係合している部分を押圧して前記係合状態を解除することを特徴とする。
【０００９】
本発明の光コネクタでは、好ましくは前記補助ユニットの前記係合している部分は、
前記把持部品収納部に対して着脱可能に係合する第１ラッチ部と第２ラッチ部と、を有しており、
前記係合解除部は、
前記把持部品収納部の前記収納室を閉鎖すると前記第１ラッチ部を押圧して前記第１ラッチ部と前記把持部品収納部との係合状態を解除する第１係合部と、
前記把持部品収納部の前記収納室を閉鎖すると前記第２ラッチ部を押圧して前記第２ラッチ部と前記把持部品収納部との係合状態を解除する第２係合部と、を有していることを特徴とする。
【００１０】
本発明の光コネクタでは、好ましくは前記第１ラッチ部は、前記第１係合部を案内して前記第１ラッチ部を押し広げるためのテーパ状の第１案内面を有し、
前記第２ラッチ部は、前記第２係合部を案内して前記第２ラッチ部を押し広げるためのテーパ状の第２案内面を有していることを特徴とする。
【００１１】
本発明の光コネクタでは、好ましくは前記補助ユニットは、前記係合解除部の外側に着脱可能に係合されており、前記把持部品収納部は、前記フレームに対して回転可能に保持され、
前記把持部品収納部を回転して前記把持部品収納部を前記係合解除部の内側に位置させることで、前記補助ユニットの前記係合している部分を押圧して、前記補助ユニットと前記係合解除部との間の前記係合状態を解除することを特徴とする。
【００１２】
本発明の光コネクタでは、好ましくは前記把持部品収納部は、前記把持部品を前記収納室内に収納する収納状態から、９０度回転して前記係合解除部内に配置することを特徴とする。
【発明の効果】
【００１３】
本発明によれば、収納室内に把持部品を収納できた後では、補助ユニットを簡単に確実に取り外すことができるようにして、光ファイバ接続作業を容易にして作業時間の短縮ができる。
【発明を実施するための最良の形態】
【００１４】
以下、図面を参照して、本発明の好ましい実施形態を詳細に説明する。
＜第１実施形態＞
図１は、本発明の光コネクタの好ましい第１実施形態を示し、蓋が開いている状態を示す斜視図である。図２は、図１に示す光コネクタの蓋が閉じた状態を示している斜視図である。
【００１５】
図１と図２に示す光コネクタ１０は、例えばプラスチックにより作られており、把持部品収納部１１と、プラグフレーム（フレームの一例）１２と、スライダ１３と、蓋１４と、補助ユニット１５を有している。
【００１６】
図３は、図１と図２に示す把持部品収納部１１の形状を明示するために、光コネクタ１０から補助ユニット１５を取り外した状態を示しており、しかも把持部品の形状を示す斜視図である。図４は、図３におけるＡ−Ａ線における光コネクタ１０の内部構造を示す断面図である。
【００１７】
図３と図４（Ａ）に示す把持部品収納部１１は、光ファイバケーブルの把持部品２０を収容して保持するためにほぼ直方体形状の収納室１６を有する。この収納室１６は、光ファイバケーブルの把持部品２０を収納する容積を有している。把持部品収納部１１は、基部１１Ｂと、第１側面部１１Ｆと第２側面部１１Ｇと、底面部１７と、ストッパ１８を有しており、底面部１７と第１側面部１１Ｆと第２側面部１１Ｇと基部１１Ｂは収納室１６を形成している。収納室１６の上部は開放されており、収納室１６の上部の開放部は蓋１４により閉鎖できる。
【００１８】
図４に示すように、プラグフレーム１２の中には、軸方向ＣＬに沿って接続部材２１が配置されている。
【００１９】
図４（Ａ）に示すように、プラグフレーム１２の一端部１２Ｂは、把持部品収納部１１の基部１１Ｂに固定されている。この基部１１Ｂは、接続部品２１に連絡される先細り状の通路１１Ｃと円柱状の通路１１Ｄを有しており、この通路１１Ｃと通路１１Ｄは接続部品２１と収納室１６を接続している。プラグフレーム１２の他端部１２Ｃは、図示しないソケットタイプのコネクタなどに接続できるようになっている。
【００２０】
蓋１４の連結部１４Ｂは、把持部品収納部１１の基部１１Ｂに対して回転中心軸１９を中心としてＲ方向に回転可能に取り付けられており、蓋１４が９０度を超える角度で回転することで、この蓋１４は把持部品収納部１１の収納室１６の上部の開放部を閉じることができる。
【００２１】
図１と図４（Ａ）に示すように、蓋１４は、第１係合部２８と第２係合部２９と、第１取り付け部３１と第２取り付け部３２と、突起部３３を有している。第１係合部２８と第２係合部２９は、それぞれ平行に形成されており、第１係合部２８は連結部１４Ｂから第１取り付け部３１の間の位置に形成され、第２係合部２９は連結部１４Ｂから第２取り付け部３２の間の位置に形成されている。
【００２２】
一方、図３と図４（Ａ）と図４（Ｂ）に示す光ファイバケーブル４０は、ドロップ光ケーブルやインドア光ケーブルなどである。図４（Ａ）には、第１光ファイバとしての内蔵光ファイバ５８と、第２光ファイバとしての光ファイバ心線４３を示している。
【００２３】
光ファイバ心線４３は、裸光ファイバ４４と、被覆層４５とを有している。裸光ファイバ４４は、被覆層４５により被覆されており、光ファイバ心線４３はシース４１により被覆されている。光ファイバケーブル４０の端部のシース４１を剥ぎ取ったあと、把持部品２０は、光ファイバ心線４３を露出させた状態でシース４１の端部に固定されている。
【００２４】
図３と図４（Ａ）と図４（Ｂ）に示すように、把持部品２０は、光ファイバ心線４３の上に光ファイバケーブル４０のシース４１を機械的に把持する部材であり、傾斜面４２を有しているほぼ直方体形状のブロック体である。図４（Ｂ）に示すように、把持部品２０は、一端部から他端部に渡って断面Ｕ字型の溝４３を有しており、シース４１の端部は溝４３の内面には複数の突起４４により固定されている。
【００２５】
次に、図４と図５を参照して、接続部品２１について説明する。
接続部品２１は、プラグフレーム１２内において軸方向ＣＬに沿って固定されている。接続部品２１の構造例は、図４と図５（Ａ）と図５（Ｂ）に示している。図５（Ｂ）は、図５（Ａ）におけるＫ−Ｋ線における接続部品２１の断面構造を示している。図５（Ａ）と図５（Ｂ）に示すように、接続部品２１は、Ｖ溝基板（接続基板）５０と、ファイバ押さえ蓋５１と、被覆押さえ蓋５２と、クランプスプリング５３，５４と、キャピラリ（フェルールともいう）５５と、スプリング５６を有する。
【００２６】
図５（Ｂ）に示すように、Ｖ溝基板５０の鍔部５７には、キャピラリ５５の一端部が固定されている。クランプスプリング５３は、Ｖ溝基板（接続基板ともいう）５０と、ファイバ押さえ蓋５１をクランプしており、クランプスプリング５４は、Ｖ溝基板５０と、被覆押さえ蓋５２をクランプしている。
【００２７】
図５（Ｂ）に示すように、キャピラリ５５は、第１光ファイバの一例である内蔵光ファイバ５８を保持しており、内蔵光ファイバ５８の一端部５８Ｂは、Ｖ溝基板５０と、ファイバ押さえ蓋５１の間において、Ｖ溝基板５０のＶ溝５９Ｖ内に保持されている。内蔵光ファイバ５８の他端部５８Ｃは、キャピラリ５５の端部において面一になるように位置決めされている。スプリング５６は、図４（Ａ）に示すように、基部１４Ｂの通路１１Ｄ内に配置されており、スプリング５６は、接続部品２１をＴ方向に沿って弾性力により保持している。
【００２８】
図６（Ａ）〜図６（Ｃ）は、図５（Ｂ）に示す接続部品２１のＢ−Ｂ線における断面図である。
図６（Ａ）から図６（Ｂ）に示すように、クサビ５９ＲがＶ溝基板５０と被覆押さえ蓋５２の間に設けられている溝部分５９Ｄに対して押し込まれることにより、Ｖ溝基板５０と被覆押さえ蓋５２の間には、小さな隙間５９Ｓを設けることができる。この隙間５９Ｓを利用して、Ｖ溝５９Ｔには裸光ファイバ４４（裸光ファイバ４４は図４を参照）を挿入できる。
【００２９】
そして、図６（Ｃ）に示すように、クサビ５９Ｒが溝部分５９Ｄから抜かれることで、裸光ファイバ４４はＶ溝基板５０と被覆押さえ蓋５２の間に固定できる。この場合には、図４（Ａ）に示す内蔵光ファイバの端面５８Ｂと、裸光ファイバ４４の端面４４Ｓは突き当てられており、光学的に接続された状態になる。
【００３０】
次に、図１と図２に示す補助ユニット１５の構造例を説明する。
図１と図２に示すように、補助ユニット１５は、把持部品収納部１１の収納室１６に対して、把持部品２０をＴ１方向に沿って直線スライドさせて確実に入れ込むための部材である。このため、補助ユニット１５は、把持部品収納部１１に対して係合する部分により着脱可能に固定されている。
【００３１】
補助ユニット１５は、把持部品２０のガイド部６０と、第１ラッチ部６１と第２ラッチ部６２を有している。ガイド部６０はＴ１方向に沿って形成されたガイド溝６０Ｇを有している。このガイド溝６０Ｇの内端部６０Ｈは、把持部品収納部１１の収納室１６に連続している。これにより、作業者は、把持部品２０をガイド溝６０Ｇに沿って移動することで、収納室１６内に確実に収納できる。
【００３２】
図１に示す第１ラッチ部６１と第２ラッチ部６２は、軸方向ＣＬを中心として左右対称形状を有している。
【００３３】
図７と図８は、図２のＣ−Ｃ線における蓋１４と把持部品収納部１１と補助ユニット１５の断面構造例を示している。
蓋１４は断面でみてほぼＵ字型であり、蓋１４の第１係合部２８と第２係合部２９は、図７における上下方向の中心線Ｍに関して左右対称形状を有している。同様にして、把持部品収納部１１は、底部１７と、第１側面部１１Ｆと第２側面部１１Ｇを有しており、断面でみてほぼＵ字型であり、中心線Ｍに関して左右対称形状を有している。
【００３４】
図７に示すように、補助ユニット１５は、図７における中心線Ｍに関して左右対称形状を有している。補助ユニット１５は、第１ラッチ部６１と第２ラッチ部６２と、第１固定部７１と第２固定部７２を有する。第１固定部７１と第２固定部７２は、第１ラッチ部６１と第２ラッチ部６２の内側に設けられており、把持部品収納部１１を着脱可能に保持している。
【００３５】
第１ラッチ部６１は、テーパ状の第１案内面６５と凸部６６を有している。同様にして、第２ラッチ部６２は、テーパ状の第２案内面６７と凸部６８を有している。第１案内面６５と第２案内面６７は、同じ傾斜角度θ、例えば４５度で傾斜されており、第１案内面６５と第２案内面６７は対面しており、図７に示すように凸部６６と凸部６８は対面している。
【００３６】
凸部６６は、第１側面部１１Ｆの上端部にかみ合うことで保持しており、凸部６８は、第２側面部１１Ｇの上端部にかみ合うことで保持している。これにより、補助ユニット１５は、凸部６６，６８と第１固定部７１と第２固定部７２を用いて、把持部品収納部１１に対してずれないように着脱可能に固定されている。
【００３７】
図７に示すように、蓋１４の第１係合部２８と第２係合部２９との間の外幅Ｗ１は、凸部６６，６８の間隔Ｗ２に比べて大きく設定されている。これにより、図７と図８に示すように、蓋１４が把持部品収納部１１を閉鎖するだけで、蓋１４の第１係合部２８と第２係合部２９は凸部６６，６８の間隔Ｗ２を押し広げた間隔Ｗ３（外幅Ｗ１と同じ大きさ）に拡げることができる。これにより、補助ユニット１５は、把持部品収納部１１から簡単しかも確実に取り外せるようになっている。
なお、図３に示す光ファイバケーブル４０は、断面が矩形の例えば３ｍｍ×２ｍｍの大きさを有している。
【００３８】
次に、上述した第１実施形態の光コネクタ１０の組立例を説明する。
まず、図１に示すように、光コネクタ１０の初期状態では、蓋１４は開いた状態に保持され、しかも補助ユニット１５の第１ラッチ部６１と第２ラッチ部６２は、図７にも示すように把持部品収納部１１の第１側面部１１Ｆと第２側面部１１Ｇに対してはめ込んで固定されている。
【００３９】
作業者は、図１に示すように補助ユニット１５のガイド溝６０Ｇに沿ってＴ１方向に把持部品２０をガイドしながら収納室１６内に導くと共に、裸光ファイバ４４は基部１４Ｂの通路１１Ｃ内に導く。
【００４０】
図６に示すように、クサビ５９ＲがＶ溝基板５０と被覆押さえ蓋５２の溝部分５９Ｄに対して押し込まれることにより、Ｖ溝基板５０と被覆押さえ蓋５２の間には、小さな隙間５９Ｓを設けることができるので、この隙間５９Ｓを利用して、Ｖ溝５９Ｔには裸光ファイバ４４を挿入できる。
【００４１】
そして、図６（Ｃ）に示すように、クサビ５９Ｒが溝部分５９Ｄから抜かれることで、裸光ファイバ４４はＶ溝基板５０と被覆押さえ蓋５２の間に固定できる。この場合には、図４（Ａ）に示す内蔵光ファイバの端面５８Ｂと、裸光ファイバ４４の端面４４Ｓは突き当てられており、光学的にメカニカル的に接続される。
【００４２】
その後、図２に示すように、作業者は蓋１４をＲ方向に閉じると、図７から図８に示すように、蓋１４の第１係合部２８と第２係合部２９は、補助ユニット１５のテーパ状の第１案内部６５と第２案内部６７を利用して、第１ラッチ部６１と第２ラッチ部６２を互いに反対方向に容易にしかも確実に押し広げることができる。これにより、図８に示すように凸部６６，６８の間隔Ｗ２が簡単に押し拡げられる。
【００４３】
このように、第１実施形態では、蓋１４が把持部品収納部１１を閉鎖する際に、把持部品収納部１１と補助ユニット１５の係合状態を解除する係合解除部としての役目を果たしている。
【００４４】
以上説明したように、第１実施形態の光コネクタ１０は、図８に示すように凸部６６，６８の間隔Ｗ２を押し広げた状態で、図９に示すように作業者は補助ユニット１５を把持部品収納部１１から簡単しかも確実に取り除くことができる。これにより、蓋１４を閉鎖する動作をするだけで、補助ユニット１５は把持部品収納部１１から自動的に簡単しかも確実に取り除くことができ、光ファイバの接続作業が容易になり、組立工程を減らすことができる。収納室１１内に把持部品２０を収納できた後では、補助ユニット１５は簡単に確実に取り外すことができるようにしているので、光ファイバ接続作業を容易にして作業時間の短縮ができる
【００４５】
第１実施形態では、係合解除部である蓋１４は、把持部品収納部１１の収納室１６を開閉可能に閉鎖する蓋であり、蓋１４は、把持部品収納部１１に対して着脱可能に係合して取り付けられている。そして、蓋１４が収納室１６を閉鎖することで補助ユニット１５の係合している部分を押圧して係合状態を解除する。
これにより、作業者が蓋１４を操作して収納室１６を閉じる動作をするだけで、把持部品収納部１１と補助ユニット１５との係合状態を確実に容易に解除できる。
【００４６】
また、第１実施形態では、補助ユニット１５の係合している部分は、把持部品収納部１１に対して着脱可能に係合する第１ラッチ部６１と、第２ラッチ部６２と、を有している。しかも係合解除部である蓋１４は、収納室１６を閉鎖すると第１ラッチ部６１を押圧して第１ラッチ部６１と把持部品収納部１１との係合状態を解除する第１係合部２８と、第２ラッチ部６２を押圧して第２ラッチ部６２と把持部品収納部１１との係合状態を解除する第２係合部２９とを有している。
これにより、作業者が蓋１４を操作して収納室１６を閉じる動作をするだけで、把持部品収納部１１と補助ユニット１５との係合状態を確実に容易に解除できる。
【００４７】
さらに、第１ラッチ部６１は、第１係合部２８を案内して第１ラッチ部６１を押し広げるためのテーパ状の第１案内面６５を有し、第２ラッチ部６２は、第２係合部２９を案内して第２ラッチ部６２を押し広げるためのテーパ状の第２案内面６６を有している。
【００４８】
これにより、簡単な構造でありながら、作業者が蓋１４を操作して収納室１６を閉じる動作をするだけで、把持部品収納部１１と補助ユニット１５との係合状態を確実に容易にしかもスムーズに解除できる。
【００４９】
＜第２実施形態＞
次に、本発明の光コネクタの第２実施形態を、図１０〜図１４を参照して説明する。
図１０は、第２実施形態の光コネクタ１０Ｐを示しており、把持部品２０が把持部品収納部１１Ｐの収納室１６Ｐ内に装着される前の状態を示す斜視図である。
図１１は、把持部品２０が収納室１６Ｐ内に装着され、しかも把持部品収納部１１Ｐと把持部品２０が９０度方向転換された後の状態を示す斜視図である。
【００５０】
図１０と図１１に示す光コネクタ１０Ｐは、把持部品収納部１１Ｐと、フレーム１２Ｐと、蓋（ホルダー部材ともいう）１４Ｐと、補助ユニット１５Ｐを有している。フレーム１２Ｐは、胴体部１２Ｘを有しており、胴体部１２Ｘ内には、第１実施形態で用いている接続部品２１と同様な接続部品２１が内蔵されている。
【００５１】
図１０に示すように、把持部品収納部１１Ｐは、光ファイバケーブルの把持部品２０を収容して保持するために収納室１６Ｐを有する。この収納室１６Ｐは、光ファイバケーブルの把持部品２０を収納する容積を有している。把持部品収納部１１は、基部１００と、底面部１０１と、上面部１０２を有している。底面部１０１は、縁部分１０３を有し、上面部１０２も縁部分１０４を有している。縁部分１０３と縁部分１０４は隙間１０９を開けて対面している。
【００５２】
図１０の部分Ｎに示すように、縁部分１０３の外側には、断面でみて直角三角形状の係合突起１１１が形成されている。同様にして、基部１００の外側にも、断面でみて直角三角形状の係合突起１１２が形成されている。
【００５３】
この把持部品収納部１１Ｐは、断面で見てほぼ正方形状の収納室１６Ｐを有しているが、把持部品収納部１１Ｐは、回転中心軸１２０を中心として図１０に示す初期状態から、図１１に示すように９０度上昇して回転することができる。図１１の状態では、把持部品収納部１１Ｐが蓋１４Ｐ内に入ることで、蓋１４Ｐは把持部品収納部１１Ｐの縁部分１０３と縁部分１０４の隙間１０９を塞ぐ。
【００５４】
図１０と図１１に示すように、補助ユニット１５Ｐは、ガイド部６０Ｐと、取り付け部１３０を有している。ガイド部６０Ｐは、把持部品２０をＴ１方向にガイドするためのガイド溝６０Ｆを有している。取り付け部１３０は、ガイド部６０ＰのＴ１方向に対して９０度交差するＺ１方向に形成されている。
【００５５】
図１２は、取り付け部１３０を示しており、取り付け部１３０はほぼＵ字形の部材であり、側面部１３１，１３２，１３３を有する。側面部１３１，１３３は平行に対面しており、側面部１３１，１３３は、側面部１３２に対して直角に形成されている。
側面部１３１の内側には、１つの係合突起１４０が形成されている。この係合突起１４０は、平面部１４１とテーパ部１４２を有している。
【００５６】
図１３は、図１０と図１１に示す蓋１４Ｐの形状を示す斜視図である。
蓋１４Ｐは、図１１に示すように、把持部品収納部１１Ｐの基部１００と、底面部１０１と、上面部１０２と、縁部分１０３と、縁部分１０４を覆って蓋をするために、側面部１５１，１５２，１５３を有している。
【００５７】
側面部１５１，１５２，１５３は、それぞれ取り付け部１３０の側面部１３１，１３２，１３３の内側に接触するようにして配置できる。図１３に示すように、側面部１５１と側面部１５３には、それぞれＺ１方向に沿った係合孔１６１，１６３が形成されている。
【００５８】
図１０に示すように、基部１００と上面部１０２と縁部分１０３と縁部分１０４は、側面部１５１，１５２，１５３の内側に、それぞれ接触するようにして配置できる。
【００５９】
図１４（Ａ）は、図１０をＺ２方向から見た平面図であり、補助ユニット１５Ｐの取り付け部１３０と、蓋１４Ｐと、そして把持部品収納部１１Ｐとの連結状態を示している。
図１４（Ｂ）は、図１１をＺ２方向から見た平面図であり、補助ユニット１５Ｐの取り付け部１３０と、蓋１４Ｐと、そして把持部品収納部１１Ｐとの連結状態を示している。
【００６０】
図１０に示すように、把持部品収納部１１Ｐが中心軸ＣＬに沿って水平に位置されている状態では、図１４（Ａ）に示すように、取り付け部１３０の係合突起１４０は、蓋１４Ｐの側面部１５１の係合孔１６１に嵌っており、これにより、補助ユニット１５Ｐは、蓋１４Ｐに対して係合突起１４０と係合孔１６１との嵌め合いにより着脱自在に固定されている。把持部品収納部１１Ｐの収納室１６Ｐ内には、把持部品２０が収納される。
【００６１】
そして、図１１に示すように、把持部品収納部１１Ｐが中心軸ＣＬに対して９０度回転してＺ１方向に向いた状態では、図１４（Ｂ）に示すように、係合突起１１１が係合孔１６３にはまり込み、係合突起１１２が係合孔１６１にはまり込む。これにより、把持部品収納部１１Ｐがホルダー１４０に対して固定される。しかも、係合突起１１２が係合孔１６１にはまり込むことから、これまで係合孔１６１にはまり込んでいた取り付け部１３０の係合突起１４０が係合突起１１２により強制的に押されて、係合突起１４０が係合孔１６１内からＥ方向に沿って外側に押し出される。
【００６２】
これにより、取り付け部１３０の側面部１３１は、Ｅ方向に弾性変形するので、取り付け部１３０を含む補助ユニット１５Ｐが蓋１４Ｐ側に固定された状態は、自動的に解除することができ、作業者は把持部品収納部１１Ｐから補助ユニット１５Ｐを簡単に確実に取り除くことができる。
【００６３】
第２実施形態では、補助ユニット１５Ｐは、係合解除部である蓋１４Ｐの外側に着脱可能に係合されており、把持部品収納部１１Ｐは、フレーム１２Ｐに対して回転可能に保持されている。把持部品収納部１１Ｐを回転して把持部品収納部１１Ｐを蓋１４Ｐの内側に位置させることで、補助ユニット１５Ｐの係合している部分を押圧して、補助ユニット１５Ｐと係合解除部との間の係合状態を解除する。
【００６４】
これにより、収納室１６Ｐ内に把持部品２０を収納できた後では、補助ユニット１５Ｐは簡単に確実に取り外すことができるようにしているので、光ファイバ接続作業を容易にして作業時間の短縮ができる。把持部品収納部１１Ｐは、図１４（Ａ）に示すように把持部品２０を収納室１６Ｐ内に収納する収納状態から、図１４（Ｂ）に示すように把持部品収納部１１Ｐが９０度回転して蓋１４Ｐ内に配置されることで、光ファイバの接続方向を９０度変えることができる。
【００６５】
ところで、本発明は、上記実施形態に限定されず種々の変形例を採用できる。
例えば、図７に示す第１案内面６５と第２案内面６７の傾斜角度θは、４５度に限らず、６０度であっても他の角度であっても良く、特に角度の値には限定されない。
【００６６】
図１に示す第１実施形態の光コネクタは、光ファイバの接続方向を直線的（１８０度）に接続するのに用いられ、図１０に示す第２実施形態の光コネクタは、光ファイバの接続方向を直角方向に接続するのに用いられる。しかし、これに限らず、本発明の光コネクタは、光ファイバの接続方向をその他の角度で変更できるものにも適用できる。
【図面の簡単な説明】
【００６７】
【図１】本発明の光コネクタの好ましい第１実施形態を示し、蓋が開いている状態を示す斜視図である。
【図２】図１に示す光コネクタの蓋が閉じた状態を示している斜視図である。
【図３】図１と図２に示す把持部品収納部の形状を示すために、光コネクタから補助ユニット１５を取り外した状態を示す斜視図である。
【図４】図３におけるＡ−Ａ線における光コネクタの内部構造を示す断面図である。
【図５】接続部品の構造例を示す図である。
【図６】図５（Ｂ）に示す接続部品のＢ−Ｂ線における断面図であるを示す図である。
【図７】図２のＣ−Ｃ線における蓋と把持部品収納部と補助ユニットの断面構造例を示す図である。
【図８】蓋を閉めて補助ユニットが把持部品収納部から外れる様子を示す図である。
【図９】補助ユニットが把持部品収納部から完全に外れた様子を示す図である。
【図１０】本発明の光コネクタの好ましい第２実施形態を示し、把持部品収納部が中心線に沿って水平に向けた状態を示す斜視図である。
【図１１】図１０の状態から把持部品収納部が垂直方向に向いた状態を示す斜視図である。
【図１２】補助ユニットの取り付け部の形状例を示す斜視図である。
【図１３】蓋の形状例を示す斜視図である。
【図１４】把持部品収納部とホルダーと補助ユニットの取り付け部の連結例を示す図である。
【符号の説明】
【００６８】
１０，１０Ｐ    光コネクタ
１２            プラグフレーム（フレームの一例）
１２Ｐ          フレーム
１４            蓋（係合解除部の一例）
１４Ｐ          蓋（係合解除部の一例）
１５，１５Ｐ    補助ユニット
２８            第１係合部
２９            第２係合部
４３            光ファイバ（第２光ファイバに相当）
５８            内蔵光ファイバ（第１光ファイバに相当）
６１            第１ラッチ部
６２            第２ラッチ部
６５            第１案内面
６６            第２案内面
１６１，１６３  係合孔
【図１】
0004976267.tif 000002
【図２】
0004976267.tif 000003
【図３】
0004976267.tif 000004
【図４】
0004976267.tif 000005
【図５】
0004976267.tif 000006
【図６】
0004976267.tif 000007
【図７】
0004976267.tif 000008
【図８】
0004976267.tif 000009
【図９】
0004976267.tif 000010
【図１０】
0004976267.tif 000011
【図１１】
0004976267.tif 000012
【図１２】
0004976267.tif 000013
【図１３】
0004976267.tif 000014
【図１４】
0004976267.tif 000015